(57)【要約】【課題】排気路の外側に確保された開口領域を介して異物が装置内に入り込むことを受け皿によって抑えることができ、且つ、受け皿の一部が天板と接触することに起因する不具合を抑え得る加熱調理器を提供する。【解決手段】加熱調理器１は、グリル３を内部に備え、横方向に延びる長手状の開口部２ａが上面部の後端側に形成された加熱調理器本体１ａと、加熱調理器本体１ａ内に設けられるとともに開口部２ａ側の端部に排出口７ａが形成された排気路７と、加熱調理器本体１ａ内に収容されるとともに開口部２ａと排気路７との間の隙間を介して落下した落下物を受ける受け皿５と、加熱調理器本体１ａ内で固定されるとともに少なくとも一部が開口部２ａの下方且つ排気路７の周囲に配置された支持部材４０とを有する。そして、受け皿５が支持部材４０の上面部４１に支持された構成で配置される。【選択図】図６
2018009752.tif 000002
【特許請求の範囲】
【請求項１】
グリルを内部に備え、横方向に延びる長手状の開口部が上面部の後端側に形成された加熱調理器本体と、
前記グリルからの排気を前記開口部側に導く構成で前記加熱調理器本体内に設けられるとともに、前記開口部側の端部に排出口が形成され、前記排出口と前記加熱調理器本体の前記開口部との間に隙間が構成されてなる排気路と、
前記加熱調理器本体内に収容されるとともに前記開口部の下方側且つ前記排気路の外側において着脱可能に配置され、前記開口部と前記排気路との間の隙間を介して落下した落下物を受ける受け皿と、
を有する加熱調理器であって、
前記加熱調理器本体内で固定されるとともに、少なくとも一部が前記開口部の下方且つ前記排気路の周囲に配置された支持部材を有し、
前記受け皿が前記支持部材の上面部に支持される構成である加熱調理器。
【請求項２】
前記受け皿は、
前記開口部の下方側且つ前記排気路の外側において前記横方向に長手状に延びた構成で配置される皿部材と、
前記皿部材の長手方向一端側から上方に立ち上がる第１立ち上がり部と、前記第１立ち上がり部の上端部側の部分に連結され、前記第１立ち上がり部よりも前記開口部の前記横方向中央側に延びる第１延出部とを有する第１指掛け部と、
前記皿部材の長手方向他端側から上方に立ち上がる第２立ち上がり部と、前記第２立ち上がり部の上端部側の部分に連結され、前記第２立ち上がり部よりも前記開口部の前記横方向中央側に延びる第２延出部とを有する第２指掛け部と、
を備え、
前記第１指掛け部及び前記第２指掛け部が前記加熱調理器本体の上面部と非接触となっている請求項１に記載の加熱調理器。
【請求項３】
前記第１延出部及び前記第２延出部は、前記加熱調理器本体の前記開口部よりも下側に位置する請求項２に記載の加熱調理器。
【発明の詳細な説明】
【技術分野】
【０００１】
本発明は、加熱調理器に関するものである。
【背景技術】
【０００２】
従来より、魚等の被調理物の加熱調理を行うグリルが器内に備えられた加熱調理器が知られている。このようにグリルが内蔵された加熱調理器では、グリル内の空間からの排気経路を確保することが求められ、その一例としては、特許文献１のように、グリルからの排気を加熱調理器本体の上面側且つ後方側に形成された開口部（排気口）を介して排出する構成のものがある。
【先行技術文献】
【特許文献】
【０００３】
【特許文献１】実開平３−１２４１１６号公報
【特許文献２】特開２０１３−１６０４３３号公報
【発明の概要】
【発明が解決しようとする課題】
【０００４】
ところで、加熱調理器本体の上面側に開口部を設けてグリルからの排気を放出する構成では、例えば、加熱調理器本体の内外に連通する気体経路を確保すべき場合等、開口部において、グリルからの排気路の外側にも開口領域を確保したい場合がある。但し、このような構成のものでは、排気路の外側に確保された開口領域を介して埃や煮汁等が装置内に入り込みやすいという問題がある。
【０００５】
上記特許文献１の技術は、着脱可能な受け皿を利用しての異物除去を可能とするものではあるが、あくまで、グリルからの排気路内に受け皿を取り付けるものであり、排気路の外側に確保された開口領域からの異物の落下に対応し得るものではなかった。
【０００６】
一方、特許文献２には、グリル用排気筒の外側での異物落下に対応し得る組付式グリル付コンロの例が開示されている。この組付式グリル付コンロは、グリル用排気筒の上端部が臨む第１排気開口部と、別の調理器から延びる調理器用排気筒の上端部が臨む第２排気開口部とが形成され、第２排気開口部からの落下物を受止め回収する受止回収具が、上方から挿抜自在な状態で天板に装着されている。
【０００７】
しかし、特許文献２のコンロで用いられる受止回収具は、天板に接触させて装着することを前提とする構成であるため、天板への装着に起因する不具合が懸念される。例えば、特許文献２で開示される受止回収具のように、天板に形成された排気口の周縁部に係止部を引っ掛ける構成であると、外部への露出性が高い天板の上面部に傷や摩耗などが生じやすく、この付近において美観の低下や劣化の促進を招く虞がある。更に、天板上に係止部が載せられていることに起因するスペース的な問題（例えば、係止部が排気口を覆う排気カバー体と干渉するなどの問題等）が生じる虞もある。
【０００８】
本発明は、上述した解決を解決するためになされたものであり、排気路の外側に確保された開口領域を介して異物が装置内に入り込むことを受け皿によって抑えることができ、且つ、受け皿の一部が上面部と接触することに起因する不具合を抑え得る加熱調理器を提供することを目的とする。
【課題を解決するための手段】
【０００９】
本発明は、グリルを内部に備え、横方向に延びる長手状の開口部が上面部の後端側に形成された加熱調理器本体と、
前記グリルからの排気を前記開口部側に導く構成で前記加熱調理器本体内に設けられるとともに、前記開口部側の端部に排出口が形成され、前記排出口と前記加熱調理器本体の前記開口部との間に隙間が構成されてなる排気路と、
前記加熱調理器本体内に収容されるとともに前記開口部の下方側且つ前記排気路の外側において着脱可能に配置され、前記開口部と前記排気路との間の隙間を介して落下した落下物を受ける受け皿と、
を有する加熱調理器であって、
前記加熱調理器本体内で固定されるとともに、少なくとも一部が前記開口部の下方且つ前記排気路の周囲に配置された支持部材を有し、
前記受け皿が前記支持部材の上面部に支持される構成である。
【発明の効果】
【００１０】
請求項１の発明では、加熱調理器本体の上面部の後端側に開口部が形成され、グリルからの排気を開口部へと導く構成で排気路が設けられるため、グリルからの排気を外部へと良好に排出することができる。更に、加熱調理器本体内には、開口部と排気路の間の隙間を介して落下した落下物を受ける受け皿が配置されるため、この隙間を介して落下した異物が装置内の奥深くに入り込んでしまうことを防ぐことができる。更に、受け皿は、加熱調理器本体内で固定されている支持部材に支持された形で設置されるため、少なくともこの部分で保持の安定化が図られ、受け皿において開口部に引っ掛ける部分（保持のための係止構造）を削減又は省略することができる。よって、受け皿の一部が上面部と接触することに起因する不具合を抑えやすくなる。
【図面の簡単な説明】
【００１１】
【図１】図１は、実施例１に係る加熱調理器を例示する斜視図である。
【図２】図２は、図１の加熱調理器において排気口カバー等を取り外した状態を示す平面図である。
【図３】図３は、図２から更に受け皿を取り外した状態を示す平面図である。
【図４】図４（Ａ）は、図１の加熱調理器において、排気口カバーを取り外した開口部付近を示す斜視図であり、図４（Ｂ）は、図４（Ａ）の状態から受け皿が取り外されている状態を示す斜視図である。
【図５】図５（Ａ）は、図４（Ａ）の状態の第２指掛け部付近を拡大して示す拡大図であり、図５（Ｂ）は、図４（Ａ）の状態の第１指掛け部付近を拡大して示す拡大図である。
【図６】図６は、図２のＡ−Ａ位置付近の切断面を部分的に示すＡ−Ａ断面概略図である。
【図７】図７は、図２のＢ−Ｂ位置付近の切断面を部分的に示すＢ−Ｂ断面概略図である。
【図８】図８は、図１の加熱調理器に用いる受け皿の一部を拡大して示す拡大図である。
【図９】図９（Ａ）は、図１の加熱調理器に用いる受け皿を示す平面図であり、図９（Ｂ）は、その正面図である。
【図１０】図１０（Ａ）は、図１の加熱調理器に用いる受け皿を示す背面図であり、図１０（Ｂ）は、その底面図である。
【図１１】図１１（Ａ）は、図１の加熱調理器に用いる受け皿を示す左側面図であり、図１１（Ｂ）は、その右側面図である。
【発明を実施するための形態】
【００１２】
以下、本発明の望ましい例を示す。但し、本発明は、以下の例に限定されない。
受け皿は、開口部の下方側且つ排気路の外側において横方向に長手状に延びた構成で配置される皿部材を備え得る。また、受け皿は、皿部材の長手方向一端側から上方に立ち上がる第１立ち上がり部と、第１立ち上がり部の上端部側の部分に連結され、第１立ち上がり部よりも開口部の横方向中央側に延びる第１延出部とを有する第１指掛け部を備え得る。更に、受け皿は、皿部材の長手方向他端側から上方に立ち上がる第２立ち上がり部と、第２立ち上がり部の上端部側の部分に連結され、第２立ち上がり部よりも開口部の横方向中央側に延びる第２延出部とを有する第２指掛け部を備え得る。このような構成において、第１指掛け部及び第２指掛け部が加熱調理器本体の上面部と非接触となっていてもよい。
【００１３】
この構成によれば、受け皿の長手方向両側に形成された第１指掛け部及び第２指掛け部のそれぞれに指を掛けながら持ち上げたり、下げたりすることができ、加熱調理器本体内に設置された受け皿を取り外したり取り付けたりする作業を、受け皿の姿勢を大きく崩さずに行いやすくなる。また、第１指掛け部及び第２指掛け部が立ち上がり状に構成されているため、支持部材の位置まで手を深く入れなくても、比較的高い位置で取り外し開始操作や取付終了操作を行うことができる。そして、取付状態のときに第１指掛け部及び第２指掛け部が加熱調理器本体の上面部と非接触となるため、これら指掛け部が加熱調理器本体の上面部に接触することに起因する不具合（摩耗や損傷など）をより確実に防ぐことができる。
【００１４】
第１延出部及び第２延出部は、加熱調理器本体の開口部よりも下側に位置していてもよい。
【００１５】
この構成によれば、第１延出部及び第２延出部を加熱調理器本体内により深く埋め込む形で設置することができ、開口部の上方側の領域を受け皿以外の用途としてより一層利用しやすくなる。
【００１６】
＜実施例１＞
以下、本発明を具現化した実施例１について、図面を参照して説明する。
（加熱調理器の全体構成）
図１に示す加熱調理器１は、調理鍋等の調理器具を加熱可能なビルトインコンロとして構成され、器内にグリル３を内蔵したものである。この加熱調理器１は、加熱調理器本体１ａの上面部を構成する天板２（トッププレート）から露出するように、左こんろ部４ａ、右こんろ部４ｂが夫々設けられ、その左右のこんろ部４ａ，４ｂの間で後方寄りに小こんろ部４ｃが設けられている。そして、天板２の下方において加熱調理器本体１ａの内部中央付近にはグリル３が設けられている。
【００１７】
本構成において、加熱調理器本体１ａは、後述する受け皿５が組み付けられる部分であり、図１等で示す例では、加熱調理器１から排気口カバー８及び受け皿５を除いた部分を指す。加熱調理器本体１ａは、上方が開放した箱状に構成された筐体部６と、筐体部６の上端部に組み付けられる天板２と、これら筐体部６及び天板２に固定される複数の部品によって一体的に構成されている。加熱調理器本体１ａは、グリル３を内部に備え、横方向に延びる長手状の開口部２ａが上面部の後端側に形成されている。
【００１８】
本構成では、加熱調理器１を載置面に載置したときに載置面と直交する方向が上下方向であり、天板２の厚さ方向も上下方向となっている。また、この上下方向と直交する所定方向が前後方向であり、上下方向及び前後方向と直交する方向が横方向（左右方向）である。図１の例では、矩形状に構成された天板２の長手方向が横方向（左右方向）となっており、天板２の短手方向が前後方向（左右方向）となっている。
【００１９】
図２に示すように、グリル３は、被調理物を収納して図示しないグリルバーナで加熱調理するグリル庫３ａと、その後方に連設された排気路７（排気ダクト）とを備えている。なお、図２では、グリル庫３ａを破線にて概略的に示している。このグリル庫３ａは、加熱調理器本体１ａの前面部に設けられた開閉カバー３ｂによって開閉可能とされている。
【００２０】
排気路７は、気体を通過させる経路として機能するものであり、図２、図４のように横方向に長い気体流路として構成され、グリル３からの排気を開口部２ａ側に導く構成で加熱調理器本体１ａ内に設けられている。この排気路７は、グリル庫３ａの内部空間と連通する構成となっており、グリル庫３ａ内で発生した燃焼排ガスを、天板２に形成された開口部２ａを介して加熱調理器本体１ａの外部へ排出する構成で加熱調理器本体１ａ内に設けられている。本構成では、図１のように、排気路７の端部をなす排出口７ａの上方を覆うように且つ開口部２ａを覆うように格子状の排気口カバー８が天板２に対して着脱可能に設置されており、排出口７ａから放出される燃焼排ガス等の気体は、排気口カバー８に形成された隙間を介して加熱調理器本体１ａの外部に放出されるようになっている。
【００２１】
図３、図４のように、開口部２ａは、加熱調理器本体１ａの上面側且つ後方側（具体的には、加熱調理器本体１ａの上面部を構成する天板２の後端部寄りの位置）において横方向に長手状に延びるように形成されている。なお、図３の例では、開口部２ａは、前端部２ｄ及び後端部２ｅが横方向に直線状に延び、右側の端部２ｂ及び左側の端部２ｃは前後方向の直線状に延びており、平面視したときの形状（内周縁部の形状）が略四角形状となっている。この開口部２ａは、排気路７の排出口７ａよりも横方向（左右方向）の長さが大きくなるように形成されており、図３のように平面視したときに、開口部２ａの開口領域内に排出口７ａの開口領域が収まるようになっている。
【００２２】
図３、図４のように、排出口７ａ（排気口）は、排気路７における開口部２ａ側の端部において横方向に長手状の延びる開口端部として形成されている。排出口７ａは、横方向において開口部２ａの横方向両端部２ｂ，２ｃからそれぞれ離れた位置に配置されており、前後方向においても開口部２ａの前後方向両端部２ｄ，２ｅから若干離れた位置に配置されている。このように、開口部２ａは、排出口７ａの外側にも開口領域の一部が構成されており、排出口７ａと開口部２ａの間には隙間が構成されている。つまり、排気路７の外側においても、開口部２ａの開口領域を介して加熱調理器本体１ａの内側から外側、或いは外側から内側に気体が通過する構成となっている。このように構成されているため、例えば、排気路７の外側の開口領域を、加熱調理器本体１ａの内部へ空気を流入させるための給気口として利用することができる。或いは、排気路７の外側の開口領域を、加熱調理器本体１ａの内部に蓄積する熱を外部に放出する排熱口として利用することもできる。
【００２３】
（受け皿の構成）
次に、受け皿５の構成について詳述する。
受け皿５は、図２、図４（Ａ）のように加熱調理器本体１ａ内に収容されるとともに開口部２ａの下方側且つ排気路７の外側において着脱可能に配置され、開口部２ａと排気路７との間の隙間を介して落下した落下物を受けるように機能する部品である。この受け皿５は、皿部材３０、第１指掛け部１０、第２指掛け部２０など備えている。なお、加熱調理器本体１ａ内における皿部材３０の配置位置は図２、図６のようになっている。また、受け皿５の単体の構成は、図９、図１０、図１１のようになっている。
【００２４】
皿部材３０は、図２、図４（Ａ）、図６のように加熱調理器本体１ａ内に設置されたときに開口部２ａの下方側且つ排気路７の外側において横方向に長手状に延びた構成で配置される部品である。皿部材３０は、例えば金属材料などによって構成され、図９、図１０（Ａ）、図１１等に示すように、板状の底部３０ａから、当該底部３０ａの周縁に沿って配置される環状の周壁部３０ｂが立ち上がった構成となっている。図２のように、受け皿５の設置時には、皿部材３０が排気路７の両側方（左右両側）且つ後方に配置されるようになっており、この領域を通って落下しようとする埃や煮汁等の異物を、底部３０ａ上且つ周壁部３０ｂ内で受け得る構成となっている。
【００２５】
図９〜図１１のように、受け皿５の左右両側には、第１指掛け部１０及び第２指掛け部２０が設けられている。第１指掛け部１０及び第２指掛け部２０は、いずれも金属材料（より具体的には、断面円形状の金属線材等）を折り曲げた構成をなしている。第１指掛け部１０は、皿部材３０の長手方向一方側の端部に固定され、第２指掛け部２０は、皿部材３０の長手方向他方側の端部に固定されている。
【００２６】
図４（Ｂ）のように、第１指掛け部１０は、皿部材３０の長手方向一端側から上方に立ち上がる一対の第１立ち上がり部１２と、第１立ち上がり部１２の上端部側の部分に連結され、第１立ち上がり部１２よりも開口部２ａの横方向中央側に延びる第１延出部１４とを有する。一対の第１立ち上がり部１２ａ，１２ｂは、皿部材３０の長手方向一端側の部分に連結されて上方に立ち上がる構成をなす。第１立ち上がり部１２ａは、皿部材３０の長手方向一端部寄り且つ前端部寄りの位置において上下方向に延び、第１立ち上がり部１２ｂは、皿部材３０の長手方向一端部寄り且つ後端部寄りにおいて上下方向に延びている。両第１立ち上がり部１２ａ，１２ｂは、ほぼ平行に立ち上がっている。
【００２７】
第１延出部１４は、一対の第１立ち上がり部１２ａ，１２ｂの両上端部を連結するとともに湾曲した構成をなし、皿部材３０の長手方向中央側に延びた構成をなす。第１延出部１４のうち、前後延出部１４ａは、第１立ち上がり部１２ａの上端部に連結されるとともに第１立ち上がり部１２ａから後方側に折れ曲がっており、前後延出部１４ｂは、第１立ち上がり部１２ｂの上端部に連結されるとともに第１立ち上がり部１２ｂから前方側に折れ曲がっている。湾曲部１４ｃは、前後延出部１４ａ，１４ｂのそれぞれに連結されるとともに、皿部材３０の横方向中央側（長手方向中央側）に延びており、横方向中央側の端部１４ｄが皿部材３０の前端部３１よりも後方位置且つ後端部３２よりも前方位置に配置される形で形成されている。湾曲部１４ｃは、図４（Ａ）、図５のような設置状態のときに開口部２ａの横方向中央側に延び且つ幅方向中央側に向けて凸となる構成で湾曲している。
【００２８】
第２指掛け部２０は、第１指掛け部１０と対称形状となっている。図４（Ｂ）のように、第２指掛け部２０は、皿部材３０の長手方向他端側から上方に立ち上がる一対の第２立ち上がり部２２と、第２立ち上がり部２２の上端部側の部分に連結され、第２立ち上がり部２２よりも開口部２ａの横方向中央側に延びる第２延出部２４とを有する。一対の第２立ち上がり部２２ａ，２２ｂは、皿部材３０の長手方向他端側の部分に連結されて上方に立ち上がる構成をなす。第２立ち上がり部２２ａは、皿部材３０の長手方向他端部寄り且つ前端部寄りの位置において上下方向に延び、第２立ち上がり部２２ｂは、皿部材３０の長手方向他端部寄り且つ後端部寄りにおいて上下方向に延びている。両第２立ち上がり部２２ａ，２２ｂは、ほぼ平行に立ち上がっている。
【００２９】
第２延出部２４は、一対の第２立ち上がり部２２ａ，２２ｂの両上端部を連結するとともに湾曲した構成をなし、皿部材３０の長手方向中央側に延びた構成をなす。第２延出部２４のうち、前後延出部２４ａは、第２立ち上がり部２２ａの上端部に連結されるとともに第２立ち上がり部２２ａから後方側に折れ曲がっており、前後延出部２４ｂは、第２立ち上がり部２２ｂの上端部に連結されるとともに第２立ち上がり部２２ｂから前方側に折れ曲がっている。湾曲部２４ｃは、前後延出部２４ａ，２４ｂのそれぞれに連結されるとともに、皿部材３０の横方向中央側（長手方向中央側）に延びており、横方向中央側の端部２４ｄが皿部材３０の前端部３１よりも後方位置且つ後端部３２よりも前方位置に配置される形で形成されている。湾曲部２４ｃは、図４（Ａ）、図５のような設置状態のときに開口部２ａの横方向中央側に延び且つ幅方向中央側に向けて凸となる構成で湾曲している。
【００３０】
図６〜図８で示すように、加熱調理器本体１ａ内には、受け皿５を支持するための支持部材４０が設けられている。なお、図８では支持部材４０の支持面を二点鎖線にて概念的に示している。支持部材４０は、加熱調理器本体１ａ内において、筐体部６に直接又は他部材を介して間接的に固定されている。支持部材４０は、例えば、金属板材などによって構成されており、図３のように、少なくとも一部が開口部２ａの下方且つ排気路７の周囲に配置されている。支持部材４０の上面部４１は受け皿５を支持する部分であり、受け皿５の取付時に受け皿５が載せられる部分となっている。支持面４１ａは、上面部４１の表面（上面）であり、受け皿５の一部と接触する接触面となっている。この支持面４１ａは、開口部２ａから所定距離隔てた下方位置（開口部２ａよりも所定距離深い位置）において面方向が水平方向（上下方向と直交する方向）となっており、図３のように加熱調理器１を平面視したときに少なくとも開口部２ａの開口領域の内側かつ排気路７の外側に配置されている。より具体的には、排気路７の周囲を部分的に囲むように支持部材４０の支持面４１ａが配置されている。
【００３１】
このように構成された支持部材４０に対し、受け皿５は、支持部材４０の上面部４１の上に載置されている。支持部材４０が受け皿５を正規の配置状態で受けているとき（即ち、図２、図６、図７のような受け皿５の設置時）には、例えば、皿部材３０の底部３０ａの上面（底面）が水平方向（上下方向と直交する方向）となるように配置される。
【００３２】
図６のように、受け皿５の左右方向両側には、皿部材３０の下面３０ｃ（裏面）よりも下方に突出する凸部３８，３９がそれぞれ設けられている。具体的には、第１指掛け部１０を構成する金属線材が皿部材３０の下面３０ｃ（裏面）に固定されており、この金属線材が一方の凸部３８を構成している。同様に、第２指掛け部２０を構成する金属線材が皿部材３０の下面３０ｃ（裏面）に固定されており、この金属線材が他方の凸部３９を構成している。
【００３３】
受け皿５が加熱調理器本体１ａ内に取り付けられた状態では、図７、図８のように皿部材３０の長手方向両側に配置された凸部３８，３９が支持部材４０の支持面４１ａにそれぞれ接触した状態で支持され、板状の底部３０ａの裏面（下面３０ｃ）は支持面４１ａに接触しない状態（支持面４１ａから浮いた状態）で維持される。つまり、支持面４１ａによる安定的な支持を可能としつつ、底部３０ａの裏面（下面３０ｃ）と支持面４１ａの間に通気路を確保することができ、万が一、底部３０ａと支持面４１ａの間に煮汁等の異物が入り込んでも、異物の滞留や異物に起因する底部３０ａの固着などを抑えやすくなる。また、受け皿５が加熱調理器本体１ａ内に取り付けられた状態では、図２、図４（Ａ）、図６のように、第１指掛け部１０及び第２指掛け部２０の大部分又は全部が開口部２ａの位置よりも下側に位置した状態で配置され、開口部２ａの周縁部と非接触となっている。より具体的には、図４〜図７のように、第１指掛け部１０及び第２指掛け部２０の全部が開口部２ａの周囲に配置される載置面２ｆ（排気口カバー８が載置される面）よりも下位置となるように配置されている。
【００３４】
このように受け皿５が支持部材４０に載置された装着時には、図５（Ａ）、図５（Ｂ）のように、第１延出部１４と開口部２ａの横方向一端側の縁部（端部２ｂ）との間に指挿入空間ＡＲ１が構成され、第２延出部２４と開口部２ａの横方向他端側の縁部（端部２ｃ）との間に指挿入空間ＡＲ２が構成されるようになっている。つまり、受け皿５の長手方向両側において各指掛け部の上端部付近の位置に、一対の指挿入空間ＡＲ１，ＡＲ２が構成されるのである。従って、受け皿５を取り外すときには、これら指挿入空間ＡＲ１，ＡＲ２に指を入れながら指を引っ掛けつつ図４（Ｂ）のように持ち上げることができ、受け皿５を取り付ける際には、挿入空間ＡＲ１，ＡＲ２に指を入れながら指を引っ掛けつつ開口部２ａを介して受け皿５を挿入することができる。
【００３５】
以下、本構成の効果を例示する。
本構成の加熱調理器１は、加熱調理器本体１ａの上面部の後端側に開口部２ａが形成され、グリル３からの排気を開口部２ａへと導く構成で排気路７が設けられるため、グリル３からの排気を外部へと良好に排出することができる。更に、加熱調理器本体１ａ内には、開口部２ａと排気路７の間の隙間を介して落下した落下物を受けるように機能し得る受け皿５が配置されるため、この隙間を介して落下した異物が装置内の奥深くに入り込んでしまうことを防ぐことができる。更に、受け皿５は、加熱調理器本体１ａ内で固定されている支持部材４０に支持された形で設置されるため、少なくともこの部分で保持の安定化が図られ、受け皿５において開口部２ａに引っ掛ける部分（保持のための係止構造）を削減又は省略することができる。よって、受け皿５の一部が上面部と接触することに起因する不具合を抑えやすくなる。
【００３６】
受け皿５は、開口部２ａの下方側且つ排気路７の外側において横方向に長手状に延びた構成で配置される皿部材３０を備える。また、受け皿５は、第１指掛け部１０と第２指掛け部２０を備え、第１指掛け部１０は、皿部材３０の長手方向一端側から上方に立ち上がる第１立ち上がり部１２と、第１立ち上がり部１２の上端部側の部分に連結され、第１立ち上がり部１２よりも開口部２ａの横方向中央側に延びる第１延出部１４とを有する。同様に、第２指掛け部２０は、皿部材３０の長手方向他端側から上方に立ち上がる第２立ち上がり部２２と、第２立ち上がり部２２の上端部側の部分に連結され、第２立ち上がり２２部よりも開口部２ａの横方向中央側に延びる第２延出部２４とを有する。そして、設置状態のときに、第１指掛け部１０及び第２指掛け部２０が開口部２ａの周縁部と非接触となっている。
【００３７】
この構成によれば、受け皿５の長手方向両側に形成された第１指掛け部１０及び第２指掛け部２０のそれぞれに指を掛けながら持ち上げたり、下げたりすることができ、加熱調理器本体１ａ内に設置された受け皿５を取り外したり取り付けたりする作業を、受け皿５の姿勢を大きく崩さずに行いやすくなる。また、第１指掛け部１０及び第２指掛け部２０が立ち上がり状に構成されているため、支持部材４０の位置まで手を深く入れなくても、比較的高い位置で取り外し開始操作や取付終了操作を行うことができる。そして、取付状態のときに第１指掛け部１０及び第２指掛け部２０が加熱調理器本体１ａの上面部と非接触となるため、これら指掛け部が加熱調理器本体１ａの上面部に接触することに起因する不具合（摩耗や損傷など）をより確実に防ぐことができる。
【００３８】
第１延出部１４及び第２延出部２４は、加熱調理器本体１ａの開口部２ａよりも下側に位置している。この構成によれば、第１延出部１４及び第２延出部２４を加熱調理器本体１ａ内により深く埋め込む形で設置することができ、開口部２ａの上方側の領域を受け皿５以外の用途としてより一層利用しやすくなる。例えば、排気口カバー８を載置面２ｆに載置して取り付けたときに第１延出部１４及び第２延出部２４が排気口カバー８と干渉しなくなるため、より安定的に設置することができる。
【００３９】
＜他の実施例＞
本発明は上記記述及び図面によって説明した実施例に限定されるものではなく、例えば次のような例も本発明の技術的範囲に含まれる。また、上述した実施例や後述する実施例の特徴は矛盾しない範囲でどのように組み合わせてもよい。
【００４０】
上記実施例では、第１延出部１４及び第２延出部２４において前後方向中央部（横方向中心寄りの端部）がそれぞれ湾曲していたが、前後方向中央部が前後に延びる直線状であってもよい。或いは、第１指掛け部及び第２指掛け部において、前後方向中央部が開口部２ａの幅方向中央に向かって先鋭に突出していてもよく、角張って突出ていてもよい。
【００４１】
上記実施例では、第１延出部１４及び第１立ち上がり部１２が一体的な金属線材によって構成されていたが、少なくともこれらを有していれば、複数部材が接合された構成であってもよい。また、少なくともこれらを有していれば、これらが全て連続していなくても、一部が切れていてもよい。第２延出部２４及び第２立ち上がり部２２についても同様である。
【００４２】
上記実施例では、天板２と筐体部６が別々の部品として構成されていたが、これらが一体的に構成されていてもよい。
【００４３】
上記実施例では、受け皿５の取付時に皿部材３０の裏面（下面３０ｃ）と支持面４１ａとが接触せずに浮いた状態となる例を示したが、取付時に皿部材３０の裏面（下面３０ｃ）と支持面４１ａとが接触してもよい。
【符号の説明】
【００４４】
１…加熱調理器
１ａ…加熱調理器本体
２…天板
２ａ…開口部 
３…グリル
５…受け皿
７…排気路
７ａ…排出口
１０…第１指掛け部
１２…第１立ち上がり部
１４…第１延出部
２０…第２指掛け部
２２…第２立ち上がり部
２４…第２延出部
３０…皿部材
４０…支持部材
４１…支持部材の上面部
４１ａ…支持面
【図１】
2018009752.tif 000003
【図２】
2018009752.tif 000004
【図３】
2018009752.tif 000005
【図４】
2018009752.tif 000006
【図５】
2018009752.tif 000007
【図６】
2018009752.tif 000008
【図７】
2018009752.tif 000009
【図８】
2018009752.tif 000010
【図９】
2018009752.tif 000011
【図１０】
2018009752.tif 000012
【図１１】
2018009752.tif 000013